(57)【要約】 【課題】  シートクッションの側方下部側に配設する合成樹脂製フィニッシャによる取付工数の増加及び外観品質の悪化を防止する。【手段】  トリムカバーのまちと合成樹脂製フィニッシャとを一体に、合成樹脂材を含浸させて凹凸状に成形した成形不織布１で一体成形し、該成形不織布１の下部に伸縮部１Ａを設け、この伸縮部１Ａをスライドレールの可動レール５３側に固定したことを特徴とする。【選択図】            図２
2010012094.tif 000002
【特許請求の範囲】
【請求項１】
シートクッションの側面を構成するトリムカバーのまちと、シートクッション側部の外方且つ下方より露出する機構部品をカバーするフィニッシャとを、合成樹脂材を含浸させて凹凸状に成形した成形不織布で、一体に成形し、該成形不織布の下部に伸縮部を設け、この伸縮部の下方にフック部を延設し、該フック部をスライドレールの可動レール側に固定してなる車両用シートのシートクッション構造。
【請求項２】
前記成形不織布はシートクッションの発泡体製パッドを被覆するトリムカバー部と、このトリムカバー部と一体でシートクッションの機構部品を被覆するフィニッシャ部と、フィニッシャ部の下部に延設した伸縮部と、この伸縮部の下部に延設したフック部とからなり、この各部の物性を変化させて成形してなる請求項１記載の車両用シートのシートクッション構造。
【請求項３】
前記伸縮部は蛇腹状に成形し、その内側に伸縮材を一体に設けてなる請求項１、２記載の車両用シートのシートクッション構造。
【請求項４】
前記成形不織布はシートクッションの左右両側面及び前側面に渉って設けてなる請求項１、２、３記載の車両用シートのシートクッション構造。
【発明の詳細な説明】
【技術分野】
【０００１】
本発明は自動車用シートなどの車両用シートにおけるシートクッション構造に関する。
【背景技術】
【０００２】
従来の一般的な自動車用シートのシートクッションは、シートクッション自体の外側に、シートクッションと別体の合成樹脂製フィニッシャを取付けて、シートクッションの側方より露出するリクライニングデバイス、スライドレール、リフターなどの機構部品を被覆している（例えば、特開２００６−８８９４３号公報）。
【０００３】
【特許文献１】特開２００６−８８９４３号公報
【発明の開示】
【発明が解決しようとする課題】
【０００４】
従って、従来のシートクッションはフィニッシャによって機構部品を被覆してシートクッションの外観品質を向上させているが、フィニッシャは合成樹脂で、シートクッションの外面を構成する布などの柔軟部材製トリムカバーに対して別体感が強く、デザイン上の制約を受けやすい。
【０００５】
また、フィニッシャ及びトリムカバーの端末は各々ピン、フック、止めねじ等によってシートクッションのフレームなどに取付ける必要があり、その取付に工数を要する不具合があった。
【０００６】
更に、ハイト機構を有するシートにおいては、シートクッションを上昇させた際に、同時にフィニッシャも上昇するため、スライド機構が露出し、シートの外観品質が損なわれる不具合もあった。
【０００７】
そこで、本発明はシートクッションの側方下部側に配設する前記合成樹脂製フィニッシャによる不具合を除去することを目的とする。
【課題を解決するための手段】
【０００８】
以上の目的を達成するための本請求項１に係る車両用シートのシートバック構造はシートクッションの側面を構成するトリムカバーのまちと、シートクッション側部の外方且つ下方より露出する機構部品をカバーするフィニッシャとを、合成樹脂材を含浸させて凹凸状に成形した成形不織布で、一体に成形し、該成形不織布の下部に伸縮部を設け、この伸縮部の下方にフック部を延設し、該フック部をスライドレールの可動レール側に固定してなる構成である。
【０００９】
本請求項２の発明は、前記成形不織布は、シートクッションの発泡体製パッドを被覆するトリムカバー部と、このトリムカバー部と一体でシートクッションの機構部品を被覆するフィニッシャ部と、フィニッシャ部の下部に延設した伸縮部と、この伸縮部の下部に延設したフック部とからなり、その各部の物性を変化させて成形してなる構成である。
【００１０】
本請求項３の発明は、前記伸縮部は蛇腹状に成形し、その内側に伸縮材を一体に設けてなる構成である。
【００１１】
本請求項３の発明は、前記成形不織布はシートクッションの左右両側面及び前側面に渉って設けてなる構成である。
【発明の効果】
【００１２】
本請求項１の発明によれば、従来のシートクッションにおけるトリムカバーのまちと、フィニッシャとが一体に成形不織布で形成されているため、シートクッションに対する取付が簡単で、取付工数を低減できる。
【００１３】
また、伸縮部を一体に有しフック部をスライドレールの可動レールに固定しているため、ハイト機構付のシートクッションの場合には、シートクッションを上昇させてもスライドレールが露出することがなく、スライドレールのカバー部材が不要になる。
【００１４】
本請求項２の発明によれば、サイド部、フィニッシャ部などの物性をその機能によって変化させることにより、シートクッションの部位に応じた強度、感触などを有するものが提供できる。
【００１５】
本請求項３の発明によれば、伸縮部が蛇腹状に成形してなるから、サイド部、フィニッシャ部と共に一体成形でき、その成形性が良好となる。
【００１６】
本請求項４の発明によれば、シートクッションの前側及び左右側面を一体に成形できるため、成形性が良いし、シートクッションの外観品質も向上する。
【発明を実施するための最良の形態】
【００１７】
以下、本発明の一実施例を図面に基づいて説明する。
図１は本発明に係る自動車用シートのシートクッションを示し、このシートクッションＳＣの上面を構成するトリムカバーの身頃、額縁２は、従来のこの種のシートに使用されている織物地、裏側に発泡体製ワディングを有する積層体…など表皮材で形成されている。
【００１８】
この身頃、額縁２の左右両側端及び前端には成形不織布１が一体に縫着され、この成形不織布１が従来のトリムカバーのまちとフィニッシャとを構成している。
【００１９】
なお、図１において、図中ＳＢは操作レバー７の操作により傾動するシートバック、６はシートクッションＳＣを昇降させるリフター（不図示）の操作レバーを各々示す。
【００２０】
前記成形不織布１は、合成樹脂材を含浸させて凹凸状にプレスなどで成形したもので、硬質且つ保形性を有するように、例えば実開平７−１５４４８号に開示されている材質、成形方法によって成形している。
【００２１】
この成形不織布１はシートクッションＳＣの側面を構成するトリムカバーのまちに相当するトリムカバー部１Ｃと、このトリムカバー部１Ｃと一体でシートクッションＳＣ側部の外方且つ下方より露出するリクライニングデバイス、スライドレール、リフターなどの機構部品（不図示）を被覆するフィニッシャ部１Ｂと、その下方の伸縮部１Ａ及びフック部１１とから構成されている。
【００２２】
以上のトリムカバー部１Ｃは図２に示すように、シートクッションＳＣの発泡体製パッド５０を被覆する部位であり、フィニッシャ部１Ｂはトリムカバー１Ｃに延設され、更に、その下部には伸縮部１Ａ、フック部１１が各々一体成形されている。
【００２３】
そして、例えば、トリムカバー部１Ｃは触感を良好にするため、フィニッシャ部１Ｂに対して柔軟性を有するように成形不織布１の厚みを薄くしたり、合成樹脂の含有量を少なくしたりするのが好ましい。
【００２４】
また、伸縮部１Ａは伸縮し易い形状、例えば蛇腹状に成形し、上下方向に伸縮し易い物性に、成形不織布を成形する。
【００２５】
即ち、トリムカバー部１Ｃ、フィニッシャ部１Ｂ、伸縮部１Ａ、フック部１１の各部分の機能に応じて物性を変化させて成形不織布１を成形する。
【００２６】
そして、例えば伸縮部１Ａなどの如く、成形不織布自体のバネ性では不足する個所には、伸縮部１Ａの内側に補助部材として、ウェビング３を縫着してバネ性を付与するようにするのが望ましい。
【００２７】
フック部１１は環状に成形されており、その内部にワイヤ４を挿入し、ワイヤ４はスライドレールの可動レール５４と一体のブラケット５３に溶接されている。図中５５は可動レール５４がスライドする固定レールで、車床側に固定されている。
【００２８】
図２において、図中５１はシートクッションＳＣのフレーム、５２はフレーム５１に張架したバネを各々示す。
【００２９】
斯して、トリムカバー部１Ｃによってパッド５０の側面は被覆され、フレーム５１の外側に配設されるリクライニングデバイスなどの機構部品などはフィニッシャ部１Ｂでカバーされる。
【００３０】
そして、シートクッションＳＣをリフターによって上昇させると、伸縮部１Ａがそれによって伸長するため、スライドレールが露出することがない。
【００３１】
また、従来のトリムカバーのまちと、フィニッシャとが成形不織布１で一体成形されているため、シートクッションの組付が簡単、容易になり、組付工数を低減できるし、トリムカバー部１Ｃ、フィニッシャ部１Ｂ、伸縮部１Ａ、フック部１１を一体成形できるため、成形性も良好になる。
【００３２】
更に、成形不織布１でシートクッションＳＣの前面、左右両側面を一体に成形できるため、成形性、組付性を向上できる。
【図面の簡単な説明】
【００３３】
【図１】本発明に係る自動車用シートのシートクッションの斜視図。
【図２】図１のＸ―Ｘ線断面図。
【符号の説明】
【００３４】
１…成形不織布、１Ａ…伸縮部、１Ｂ…フィニッシャ部、１Ｃ…トリムカバー部、
１１…フック部、５３…スライドレールの可動レール。
【図１】
2010012094.tif 000003
【図２】
2010012094.tif 000004